(57)【要約】      （修正有）【課題】唇にグロスを均一にのばしていくことや、口角や輪郭などの細かい部分にまでグロスをのばすことが容易にでき、また、使用後の手入れが簡単で使い勝手のよいグロス用チップ及びグロス塗布具を提供すること。【解決手段】この考案のグロス用チップ１は、弾力性を有しており、先端方向に向かって扁平に近づくようにした形状としている。さらに、先端方向に向かって正面視における幅が小さくなるようにしたものとすることができる。先端部付近の断面が略楕円形状であるものとすることができる。また、この考案のグロス塗布具は、前記グロス用チップ１を、棒状の柄２の一端側に設けたものとしている。【選択図】図１
0003120903.tif 000002
【実用新案登録請求の範囲】
【請求項１】
弾力性を有しており、先端方向に向かって扁平に近づくようにした形状であることを特徴とするグロス用チップ。
【請求項２】
先端方向に向かって正面視における幅が小さくなるようにした請求項１記載のグロス用チップ。
【請求項３】
先端部付近の断面が略楕円形状である請求項１又は２記載のグロス用チップ。
【請求項４】
硬度１０〜４０のシリコンゴム製とした請求項１、２又は３記載のグロス用チップ。
【請求項５】
先端部付近の正面視における幅が側面視における幅の２倍程度である請求項１、２、３又は４記載のグロス用チップ。
【請求項６】
請求項１、２、３、４又は５記載のグロス用チップを、棒状の柄の一端側に設けたことを特徴とするグロス塗布具。
【考案の詳細な説明】
【技術分野】
【０００１】
この考案は、唇にグロスを塗布するためのグロス用チップ及びグロス塗布具に関するものである。
【背景技術】
【０００２】
唇に口紅を塗った後、唇を光らせるためにグロスを塗布することがあるが、その際、従来では、柄の一端にブラシを設けたリップブラシを用いていた（非特許文献１参照）。
【０００３】
しかし、リップブラシでは、ブラシ毛がグロスを削り取ってしまうため、唇にグロスを均一にのばしていくことは困難であり、さらに、ブラシ毛では、口角や輪郭などの細かい部分にまでグロスをのばすことも困難で、満足な仕上がりが得にくかった。また、使用後のブラシの洗浄や手入れは簡単ではなく、使い勝手のよいものではなかった。
【非特許文献１】“嶋田ちあきメイクアップアカデミー  Ｌｅｓｓｏｎ  ４：２００６年ウインターメイク（§1-3）”、［online］、［平成１８年２月３日検索］、インターネット＜ＵＲＬ：http://cosme.beauty.yahoo.co.jp/column/makeup/section3.html＞
【考案の開示】
【考案が解決しようとする課題】
【０００４】
そこで、この考案は、唇にグロスを均一にのばしていくことや、口角や輪郭などの細かい部分にまでグロスをのばすことが容易にでき、また、使用後の手入れが簡単で使い勝手のよいグロス用チップ及びグロス塗布具を提供することを課題とする。
【課題を解決するための手段】
【０００５】
前記課題を解決するため、この考案は次のような技術的手段を講じている。
【０００６】
この考案のグロス用チップ１は、弾力性を有しており、先端方向に向かって扁平に近づくようにした形状としている。さらに、先端方向に向かって正面視における幅が小さくなるようにしたものとすることができる。
【０００７】
先端部付近の断面が略楕円形状であるものとすることができる。
【０００８】
さらに、硬度１０〜４０のシリコンゴム製としたり、先端部付近の正面視における幅が側面視における幅の２倍程度であるものとしたりすることができる。
【０００９】
また、この考案のグロス塗布具は、前記グロス用チップ１を、棒状の柄２の一端側に設けたものとしている。
【考案の効果】
【００１０】
この考案のグロス用チップ１及びグロス塗布具は、上述のような構成を有しており、唇にグロスを均一にのばしていくことや、口角や輪郭などの細かい部分にまでグロスをのばすことが容易にでき、また、使用後の手入れが簡単で使い勝手のよいものとなっている。
【考案を実施するための最良の形態】
【００１１】
以下、この考案の実施の好適な形態を、図面を参照して説明する。
【００１２】
図１はこの考案の実施形態のグロス塗布具の斜視図、図２はその分解状態の斜視図、図３はグロス用チップ１の正面図（背面も同形状）、図４はグロス用チップ１の側面図（左側面、右側面とも同形状）、図５はグロス用チップ１の上面図、図６はグロス塗布具の使用状態（グロスを唇にのばしている状態）の説明図、図７はグロス塗布具の使用状態（グロスを唇の細部にのばしている状態）の説明図、図８はグロス用チップ１に付着したグロスを拭き取っている状態の説明図である。
【００１３】
このグロス用チップ１は、弾力性を有しており、先端方向に向かって扁平に近づくようにした形状で、棒状の柄２の一端側に設けられることにより、グロス塗布具を構成する。
【００１４】
このグロス塗布具は、図１に示したように、グロス用チップ１の部分を覆うキャップ３を着脱できるようにしている。グロス用チップ１は、図２に示したように、下端に柄２との接続部４を設けており、これを柄２の一端の突出部５に嵌めるとともに接着剤で固定している。
【００１５】
グロス用チップ１の大きさは、高さ１８ｍｍ、下端部の直径が６．５ｍｍ程度で、図３〜図５にあらわれているように、先端（上端）方向に向かって扁平に近づくとともに、正面視における幅が小さくなるようにしている。前記接続部４は、下端側に高さ４．６ｍｍ、直径４．１ｍｍ程度の穴を設けることによって形成された、厚さ１．２ｍｍ程度の筒状の部分としている。
【００１６】
このグロス用チップ１は、下端部の断面はほぼ真円であるが、上方に向かって徐々に扁平な楕円形状となり、略舌形状の外観を呈するようにしている。先端部は、先端から深さ１ｍｍ程度の部分６が正面視及び側面視とも円弧状の外形を有しており、この部分６の下の正面視における幅が、側面視における幅の２倍程度になるようにしている。より具体的には、前記外形円弧状の部分６を切除した場合にあらわれる断面が、長軸（正面視における幅）が４ｍｍ、短軸（側面視における幅）が２ｍｍの、楕円率０．５の楕円形となるようにしている。
【００１７】
グロス用チップ１は、シリコンゴムの一体成形により製造することができる。グロス用チップ１は、硬度１０〜４０程度であれば、しなやかな弾力性が得られ、唇にグロスを均一にのばしていくことや、口角や輪郭などの細かい部分にまでグロスをのばすことが容易になる。特に、硬度２０程度が最適である。なお、グロス用チップ１は、ポリエチレン、ポリプロピレン、スチレンゴム、ニトリルゴム、アクリルゴム、エチレン酢ビゴム等の軟質な合成樹脂により成形されたものとしてもよい。
【００１８】
柄２は、比較的硬質な合成樹脂製で、一端部にグロス用チップ１の接続部４を取り付けるための突出部５を有した、長さ７〜８ｃｍ程度の丸棒状で、正面と背面に、持ちやすくするための平坦な面７が形成され、他端側に向かって扁平に近づくようにした形状としている。
【００１９】
次に、このグロス塗布具の使用方法について説明する。
【００２０】
まず、グロスを唇にのせ、グロス塗布具を手に持ち、図６に示したように、グロス用チップ１の幅広の面（正面視で見える面）を使ってグロスをのばしていく。グロス用チップ１は弾力性があり、しなるので、唇にのせたグロスを削り取ってしまうことなく、唇全体に均一にグロスをのばしていくことができる。しかも、グロス用チップ１はしなやかでコシがあるため、唇に優しく、軟らかな感触が得られ、極めて使用感に優れたものとなっている。
【００２１】
次に、図７に示したように、グロス用チップ１の先端部で、口角や輪郭などにまでグロスをのばす。グロス用チップ１は先端部が細くなっているため、唇の面、コーナーの細かい部分までグロスをのばすことができる。
【００２２】
そして、使用後は、図８に示したように、グロス用チップ１の部分をティッシュペーパー等でぬぐうことにより、付着したグロスを拭き取り、キャップ３を被せるだけでよい。グロスの拭き取りは極めて容易で、洗浄等の作業は不要であり、従来のリップブラシのように、ブラシ毛にグロスが絡んで除去が困難になるようなことはなく、手入れが簡単で使い勝手のよいものとなっている。ラメ入りのグロスの場合でも、水に濡らしたティッシュペーパーで容易に除去することが可能である。
【００２３】
なお、この考案は、上述の実施形態の構成に限定されるものではなく、素材、形状、寸法等を適宜変更して実施することができる。
【図面の簡単な説明】
【００２４】
【図１】この考案の実施形態のグロス塗布具の斜視図である。
【図２】この考案の実施形態のグロス塗布具の分解状態の斜視図である。
【図３】この考案の実施形態のグロス用チップの正面図である。
【図４】この考案の実施形態のグロス用チップの側面図である。
【図５】この考案の実施形態のグロス用チップの上面図である。
【図６】この考案の実施形態のグロス塗布具の使用状態（グロスを唇にのばしている状態）の説明図である。
【図７】この考案の実施形態のグロス塗布具の使用状態（グロスを唇の細部にのばしている状態）の説明図である。
【図８】この考案の実施形態のグロス塗布具のグロス用チップに付着したグロスを拭き取っている状態の説明図である。
【符号の説明】
【００２５】
１  グロス用チップ
２  柄
【図１】
0003120903.tif 000003
【図２】
0003120903.tif 000004
【図３】
0003120903.tif 000005
【図４】
0003120903.tif 000006
【図５】
0003120903.tif 000007
【図６】
0003120903.tif 000008
【図７】
0003120903.tif 000009
【図８】
0003120903.tif 000010